(57)【要約】  【課題】  床パネルとパーティクルボードとを併用した場合にも、支持が可能な床支持構造を提供する。  【解決手段】  本発明の床支持構造１は、床部材１０と支持部材１１とが用いられている。そして、床部材１０には、床パネル６０とボード材６１とが使用されている。床パネル６０の下側には格子梁３１が設けられ、格子梁３１によって形成される空間に支持部材１１の突起部２５が挿入される。また、突起部２５の高さＡは、床パネル６０の厚みＴ１からボード材６１の厚みＴ２を差し引いたものであり、ボード材６１を突起部２５の上に載せて支持することにより、床パネル６０とボード材６１との上面６２、６３の高さを同じにすることができる。【選択図】  図８
2006336314.tif 000002
【特許請求の範囲】
【請求項１】
複数の床部材を構造物上に配置される複数の支持部材によって支持し、前記支持部材は床部材の隣接する位置に設置されて複数の床部材を支持して、所定の領域について床部材と構造物との間に空間を形成されている床支持構造であって、
床部材には床パネルとボード材とを含み、支持部材には上向きに突出する突起部が設けられ、床パネルには平板部と当該平板部の下側に格子状に形成される格子梁が設けられ、格子梁の間に形成される空間に支持部材の突起部を挿入して床パネルを支持し、
ボード材は板状であって、支持部材の突起部の先端の上に載せることにより支持するものであり、床パネルの平板部の上面と、ボード材の上面とが同一平面状となるように設置されていることを特徴とする床支持構造。
【請求項２】
支持部材の突起部の上部は平面状であることを特徴とする請求項１に記載の床支持構造。
【発明の詳細な説明】
【技術分野】
【０００１】
本発明は、床面の上に、床パネルなどによって形成される別の床を中空状態で支持する床支持構造に関するものである。
【背景技術】
【０００２】
床下に電線や管を設置する場合、床を２重構造として、上下の床の間に電線や管を設置することが行われている。このような、２重構造の床の形成はパーティクルボードを用いて形成する方法があるが、他の方法として、床パネルを用いる方法がある。
【０００３】
この床パネルを用いる方法では、所定の形状である定形の床パネルと、床パネルを支持する支持部材を複数用意し、本来の床面上に支持部材を載置して、さらに支持部材の上に床パネルを載せて２重構造の床を形成する。そして、床パネルの形状は正方形状のものが用いられている。
そして、このような技術は特許文献１などに記載されている。
【０００４】
通常、支持部材は、床パネルの４ヵ所の角に配置し、必要に応じて他の部分に配置されており、床パネルのいずれの位置に荷重がかかっても支えられるようにしている。
また、床パネル同士の相対移動を阻止する必要があるので、支持部材に突起などの係止部を複数設け、同じ支持部材によって隣接する床パネルを連結している。
【特許文献１】特開２００１−３０３７５７号公報
【発明の開示】
【発明が解決しようとする課題】
【０００５】
床パネルは床上の荷重を受けるので、厚みが厚い方が望ましいが、重くなってしまうので、下側に突出する格子状の梁を設けた形状としている。そして、格子梁の間に、前記した支持部材の突起を挿入している。
【０００６】
ところで、格子梁を設けた床パネルは、軽量化と高強度との両立が可能であるが、格子梁を設けているので、従来から用いられているパーティクルボードなどと比べて、厚くなってしまう。そのため、床パネルと構造物との間に形成される空間の高さ方向の距離が短くなってしまい、かかる空間に行われる配管や配線ができなくなってしまうことがあった。
【０００７】
また、部分的に従来技術のパーティクルボードなどを配置して、配管や配線を行う空間を確保する方法が考えられるが、床パネルとパーティクルボードなどとは厚みや形状が異なるので、従来の床パネル用の支持部材では、パーティクルボードを支持することができず、別々に支持することになり、支持構造が複雑になってしまう。
【０００８】
そこで、本発明は、床パネルとパーティクルボードとを併用した場合にも、支持が可能な床支持構造を提供することを課題とする。
【課題を解決するための手段】
【０００９】
そして、上記した目的を達成するための請求項１に記載の発明は、複数の床部材を構造物上に配置される複数の支持部材によって支持し、前記支持部材は床部材の隣接する位置に設置されて複数の床部材を支持して、所定の領域について床部材と構造物との間に空間を形成されている床支持構造であって、床部材には床パネルとボード材とを含み、支持部材には上向きに突出する突起部が設けられ、床パネルには平板部と当該平板部の下側に格子状に形成される格子梁が設けられ、格子梁の間に形成される空間に支持部材の突起部を挿入して床パネルを支持し、ボード材は板状であって、支持部材の突起部の先端の上に載せることにより支持するものであり、床パネルの平板部の上面と、ボード材の上面とが同一平面状となるように設置されていることを特徴とする床支持構造である。
【００１０】
請求項１に記載の発明によれば、複数の床部材を複数の支持部材によって支持するものであり、床部材には床パネルとボード材とを含むものであり、床パネルの支持は格子梁の間に形成される空間に支持部材の突起部を挿入しておこなうものであり、ボード材の支持は支持部材の突起部の先端の上に載せることにより支持するものであり、床パネルの平板部の上面と、ボード材の上面とが同一平面状となるように設置されるので、床パネルとボード材とを用いつつ、上面を同一平面状とすることができる。
【００１１】
請求項２に記載の発明は、支持部材の突起部の上部は平面状であることを特徴とする請求項１に記載の床支持構造である。
【００１２】
請求項２に記載の発明によれば、支持部材の突起部の上部は平面状であるので、ボード材を上部の平面全体で支えることができるので、ボード材の支持を確実に行うことができる。
【発明の効果】
【００１３】
本発明の床支持構造によれば、床パネルとパーティクルボードとを併用した場合にも、複雑な構造とすることなく支持が可能である。
【発明を実施するための最良の形態】
【００１４】
以下さらに本発明の具体的実施例について説明する。図１は、本発明の第１の実施形態における床支持構造を上側から見た図である。図２は、パネル部材とボード材との間の支持構造を示した図である。図３は、本発明の第１の実施形態における床支持構造の一部分を横から見た図である。図４は、床パネルを上から見た斜視図である。図５は、床パネルを下から見た斜視図である。図６は、支持部材の斜視図である。図７は、支持部材の分解斜視図である。図８は、図３に示す床支持構造の拡大図である。
【００１５】
本発明の第１の実施形態における床支持構造１は、図１に示されるように、床部材１０と支持部材１１によって形成される。そして、床部材１０には床パネル６０とボード材６１の２種類のものが用いられている。
支持部材１１は図３に示すように、構造物９０上に載置されており、床部材１０は支持部材１１によって支えられている。そして、構造物９０と床部材１０との間に空間９１が形成される。この空間９１に配線や配管を行い、床上に露出する線や管を最小限の長さにすることができる。
【００１６】
構造物９０は上側がほぼ水平な平面状であり、コンクリート構造物の床スラブなどである。構造物９０は、支持部材１１を置くことができればどのようなものであってもよい。
また、床支持構造１の上側には、図３に示されるように、フローリング材などの床材９２が配置される。
【００１７】
そして、図１に示されるように、床支持構造１は設置領域９３に設置される。設置領域９３は構造物９０の所定の領域であり、複数の床部材１０は設置領域９３を覆うように配置される。この設置領域９３は、設置される場所により大きさや形状がことなるものであるが、本実施形態の設置領域９３は長方形状であり、床部材１０は縦横に並べられている。
【００１８】
床支持構造１は、複数の床部材１０と、複数の支持部材１１とが用いられている。
本実施形態に用いられる床部材１０には、図２、図３に示されるような床パネル６０と、平板状のボード材６１が使用される。
【００１９】
床パネル６０は、図４、図５に示されるように、平板部３０と格子梁３１とが設けられている。平板部３０は正方形の板状であり、格子梁３１は平板部３０の下側のみに設けられており、床パネル６０を使用する場合には、平板部３０が上側に格子梁３１が下側となるように設置される。
【００２０】
格子梁３１は、図５に示されるように、互いに直交するように２方向に延びるように設けられており、それぞれの方向のものが複数有している。また、格子梁３１の延びる方向は、平板部３０の正方形の辺と同じ方向である。また、格子梁３１は平板部３０の全体に設けられ、一番外側に位置する格子梁３１は、平板部３０の辺付近に位置している。
【００２１】
床パネル６０は、平板部３０が上側に、格子梁３１が下側になるような状態で用いられ、床パネル６０の下側には、格子梁３１の間に形成される空間３２が位置している。この空間３２の形状は角柱状であり、上下方向の長さは支持部材１１の突起部２５の長さより長く、空間３２に突起部２５を挿入できる。
また、格子梁３１の最下端の位置は同じ高さである。
【００２２】
格子梁３１によって形成される空間３２の形状は、正方形状の角付近と、辺付近と、中央付近とでは、それぞれ異なっており、それぞれ空間３２ａ、３２ｂ、３２ｃが形成されている。
【００２３】
角付近の空間３２ａは、格子梁３１の２方向の内幅がそれぞれ支持部材１１の突起部２５の幅Ｌ１にほぼ等しく、１個の突起部２５のみを挿入することができる。
辺付近の空間３２ｂは、格子梁３１の一方の内幅が、突起部２５の幅Ｌ１にほぼ等しく、他方の内幅が突起部２５の外側の幅Ｌ２に等しく、２個の突起部２５を挿入することができる。
中央付近の３２ｃは、格子梁３１の２方向の内幅がそれぞれ突起部２５の外側の幅Ｌ２に等しく、４個の突起部２５を挿入することができる。
【００２４】
床パネル６０を、角や辺を近づけるように並べると、角付近や辺付近の空間３２ａ、３２ｂ同士が接近する。そして、隣接する２以上の床パネル６０の角付近や辺付近の空間３２ａ、３２ｂに、同じ支持部材１１の突起部２５を挿入することが可能となり、床パネル６０同士を連結することができる。
【００２５】
床パネル６０は、樹脂に充填材を添加したものを用いて成形したものである。床パネル６０に用いられる樹脂は、どのような種類のものを用いても良く、また、一度使用された廃プラスチックをリサイクルした材料を用いることができる。また、充填材として、例えば、木粉や、フライアッシュと呼ばれる石炭灰を用いることができ、このような充填材を添加したものを用いることができる。本実施形態の床パネル６０は、廃プラスチックを６０ｖｏｌ％、充填材を４０ｖｏｌ％で配合したものが用いられている。
【００２６】
床支持構造１は２種類の床パネル６０が用いられ、具体的には、基本パネル６０ａと調整パネル６０ｂとが用いられる。基本パネル６０ａは上記した形状のものをそのまま用いるものであり、調整パネル６０ｂは、基本パネル６０ａ若しくは床パネル６０を切断して形成される。
【００２７】
調整パネル６０ｂは、設置領域９３に合わせられて切断したものであり、基本パネル６０ａでは配置できない場所に配置される。そして、図１に示されるように、設置領域９３の長さや幅が、基本パネル６０ａの長さの倍数とならない場合に、基本パネル６０ａより短い調整パネル６０ｂを用いて、設置領域９３全体を覆う。
調整パネル６０ｂの切断は基本パネル６０ａを設置した後、基本パネル６０ａより小さい領域の大きさに合わせて、基本パネル６０ａを切断して行われる。
【００２８】
本実施形態に用いられる調整パネル６０ｂは、基本パネル６０ａを切断したものであり、平板部３０が長方形状となっている。なお、傾斜状に切断して調整パネル６０ｂ形成することもできる。
【００２９】
ボード材６１は、具体的にはパーティクルボードが用いられている。そして、床パネル６０のように、格子梁３１が設けられておらず、全体が板状である。図３に示されるように、ボード材６１の厚みは、床パネル６０の全体の厚み（格子梁３１を含む）よりも薄いものである。また、床パネル６０の平板部３０よりも厚い。本実施形態のボード材６１は、図１に示すように、床パネル６０よりも大きいものが用いられている。
なお、パーティクルボードとは、切削小片化した木材に接着剤を塗布し成形熱圧した木質素材であるが、ボード材６１として他の素材のものを用いても良い。
【００３０】
ボード材６１の配置は、使用時に配管や配線などが行われる場所であり、図３に示すように、床パネル６０が設置される場所よりも、空間９１の上下方向に長さを大きくすることができる。
【００３１】
支持部材１１は、図６、図７に示されるように、支持板２０、長さ調整部２１及び土台部２３により構成されている。
そして、支持板２０と土台部２３との間に長さ調整部２１が配置され、長さ調整部２１によって支持部材１１の高さを変えることが可能となっている。
【００３２】
支持板２０は樹脂製の部材であり、角板部２４と突起部２５とが設けられている。角板部２４は、正方形の板状であり中央に貫通孔４０が設けられている。
突起部２５は、四角柱状であり、その幅Ｌ１は縦方向及び横方向が等しい。また、突起部２５の上部２５ａは平面状であり、上部２５ａにはボード材６１が載せられる。
【００３３】
支持板２０は、図６、図７に示されるように、角板部２４の四隅に、４個の突起部２５が配置している。
また、支持板２０の突起部２５の上下方向の長さＡは、床パネル６０の厚みＴ１とボード材６１の厚みＴ２の関係によって決められるものである。具体的には、図８に示されるように、ボード材６１の厚みＴ２と突起部２５の上下方向の長さＡとの合計が床パネル６０の厚みＴ１となっており、突起部２５の上下方向の長さＡは床パネル６０の厚みＴ１からボード材６１の厚みＴ２を差し引いた長さである。
【００３４】
長さ調整部２１は、支持ナット４１と支持ボルト４２からなっている。支持ナット４１及び支持ボルト４２には、それぞれフランジ部４１ａ、４２ａが設けられている。支持ナット２１ａは支持ボルト４２に螺合することができ、支持ボルト４２を回転させることにより、フランジ部４１ａ、４２ａ同士の距離を変えることができる。
【００３５】
土台部２３は、例えば、円錐台状の防振ゴムであり、中央に穴部４３が設けられている。
そして、土台部２３の穴部４３に支持ボルト４２を挿入して、土台部２３の上部にフランジ部４２ａが接触するようにする。また、支持板２０の貫通孔４０に支持ナット４１を挿入し、支持板２０の下側にフランジ部４１ａが接触するようにする。
【００３６】
本実施形態の床支持構造１では、支持部材１１を構造物９０上に置き、さらに、支持部材１１の上に床部材１０（床パネル６０やボード材６１）が載せられて支持されている。
床パネル６０を支持する場合には、床パネル６０の下側の空間３２に支持部材１１の突起部２５を挿入し、床パネル６０と支持部材１１とがずれないようにしており、さらに、同じ支持部材１１の突起部２５を、隣り合う別の複数の床パネル６０の空間３２に挿入して、隣り合う床パネル６０を連結している。
また、ボード材６１は支持部材１１の突起部２５の上部２５ａに載せて支持されており、平面状の上部２５ａ全体がボード材６１に接触しており、上部２５ａとボード材６１の下面とが面接触している。なお、ボード材６１は床パネル６０のように、突起部２５によるずれ防止を行うことができないので、他の手段、例えば、ビスなどを用いてずれ防止を行っている。
【００３７】
また、突起部２５の上下方向の長さＡが、床パネル６０の厚みＴ１からボード材６１の厚みＴ２を差し引いた長さである。そのため、床パネル６０とボード材６１との境界に配置される支持部材１１によって、床パネル６０及びボード材６１を支持する場合、図２や図８に示されるように、床パネル６０の上面６２とボード材６１の上面６３とが同一平面状となる。したがって、床パネル６０の上面６２やボード材６１の上面６３の上に載せられる床材９２が平面状となり、段になることがない。
【００３８】
また、支持部材１１は、図１に示すように、それぞれの床パネル６０の角付近に配置されており、いずれの位置に荷重がかかっても支えることができるようになっている。なお、補強のためなどに、必要に応じて床パネル６０やボード材６１の角の位置以外（辺付近、中央付近）に支持部材１１を配置して支えるようにしても良い。
【００３９】
図３に示すように、床部材１０が設置された状態で、床部材１０同士に少し隙間５０を設けて設置されており、支持部材１１は、図１のように、床部材１０の角付近に設置される。そのため、支持部材１１は、中央付近の上側は床パネル６０が覆われないので、床パネル６０の設置後に、上から工具などを挿入して、支持ボルト４２を回転させて高さ調整することができる。なお、他の位置の支持部材１１については、支持部材１１の中央付近に貫通孔を形成して、かかる貫通孔に工具などを挿入して高さ調整が行われる。
【００４０】
そして、床支持構造１が完成し、床部材１０と構造物９０との間に空間９１が形成される。なお、隣接する床部材１０同士の間に、小さい隙間が設けられており、床支持構造１の使用時に床パネル６０同士の接触を防ぐことにより、音の発生などを防止することができる。
このように、本実施形態の床支持構造１では、床パネル６０とパーティクルボードなどのボード材６１とを併用した場合にも、複雑な構造とすることなく支持が可能である。
【図面の簡単な説明】
【００４１】
【図１】本発明の第１の実施形態における床支持構造を上側から見た図である。
【図２】パネル部材とボード材との間の支持構造を示した図である。
【図３】本発明の第１の実施形態における床支持構造の一部分を横から見た図である。
【図４】床パネルを上から見た斜視図である。
【図５】床パネルを下から見た斜視図である。
【図６】支持部材の斜視図である。
【図７】支持部材の分解斜視図である。
【図８】図３に示す床支持構造の拡大図である。
【符号の説明】
【００４２】
１    床支持構造
１０  床部材
１１  支持部材
２５  突出部
２５ａ  上部
３１  格子梁
６０  床パネル
６０ａ  基本パネル
６０ｂ  調整パネル
６１  ボード材
６２  上面
６３  上面
【図１】
2006336314.tif 000003
【図２】
2006336314.tif 000004
【図３】
2006336314.tif 000005
【図４】
2006336314.tif 000006
【図５】
2006336314.tif 000007
【図６】
2006336314.tif 000008
【図７】
2006336314.tif 000009
【図８】
2006336314.tif 000010